(57)【要約】【課題】自動改札機による負荷を軽減することができるサーバ装置、自動改札機、および交通利用プログラムを提供することである。【解決手段】サーバ装置は、通信部と、通過可否要求受付部と、精算判定部と、通過可否情報送信制御部とを持つ。通信部は、自動改札機を通過しようとする利用者が所持する通信端末と通信する。通過可否要求受付部は、前記自動改札機の識別情報と前記通信端末の識別情報とが付与された前記自動改札機の通過可否要求を、前記通信部を介して前記通信端末から受け付ける。精算判定部は、通過可否要求受付部により受け付けられた通信端末の識別情報から、前記自動改札機の通過における鉄道の利用料金の精算が可能か否かを判定する。通過可否情報送信制御部は、前記精算判定部により前記鉄道の利用料金の精算が可能であると判定した場合に、前記自動改札機の通過を許可する通過許可情報を前記自動改札機または前記通信端末に送信する。【選択図】図２
2017157107.tif 000002
【特許請求の範囲】
【請求項１】
自動改札機を通過しようとする利用者が所持する通信端末と通信する通信部と、
前記自動改札機の識別情報と前記通信端末の識別情報とが付与された前記自動改札機の通過可否要求を、前記通信部を介して前記通信端末から受け付ける通過可否要求受付部と、
前記通過可否要求受付部により受け付けられた前記通信端末の識別情報から、前記自動改札機の通過における鉄道の利用料金の精算が可能か否かを判定する精算判定部と、
前記精算判定部により前記鉄道の利用料金の精算が可能であると判定した場合に、前記自動改札機の通過を許可する通過許可情報を、前記自動改札機または前記通信端末に送信する通過可否情報送信制御部と、
を備えるサーバ装置。
【請求項２】
前記通過可否要求受付部により、入場時および出場時のそれぞれにおいて受け付けられた前記通過可否要求から得られる前記自動改札機の識別情報に基づいて、前記通信端末の識別情報に対応する入場から出場までの経路を取得し、取得した経路に対応する料金を精算する精算部を備える、
請求項１に記載のサーバ装置。
【請求項３】
前記精算部は、
前記経路に対応する料金を計算して得られた請求情報を、前記通信端末または予め設定された前記通信端末を管理する管理装置に送信する、
請求項２に記載のサーバ装置。
【請求項４】
前記精算部は、
前記経路に対応して計算された料金を、前記通信端末に対応付けて蓄積された金額から差し引くことで精算を行う、
請求項２に記載のサーバ装置。
【請求項５】
自動改札機を通過しようとする利用者が所持する通信端末と少なくとも通信する通信部と、
前記自動改札機の通過要求を、前記通信部を介して前記通信端末から受け付ける通過要求受付部と、
前記通過要求受付部により前記自動改札機の通過要求が受け付けられた場合に、前記通信端末に対して自己の自動改札機の識別情報を送信する識別情報送信制御部と、
前記識別情報を送信した後、前記通信部が通信端末または鉄道の利用料金の精算を行うサーバ装置から、許可する情報を受信した場合に、前記利用者の通過を許可する通過許可部と、
を備える自動改札機。
【請求項６】
所定のアプリケーションプログラムから前記自動改札機の記通過要求が送信されていると判定された場合に、前記自己の自動改札機の識別情報を送信する識別情報送信制御部を備える、
請求項５に記載の自動改札機。
【請求項７】
自動改札機の通過に用いられる通信端末のコンピュータにより実行される交通利用プログラムであって、
前記コンピュータに、
前記自動改札機に対して通過要求を行い、
前記通過要求に対応して、前記自動改札機の識別情報を受信し、
受信した前記自動改札機の識別情報と、自己の通信端末の識別情報とを、前記自動改札機における通過可否の判定を行うとともに、前記自動改札機が配置された区間の鉄道の利用料金を精算するサーバ装置に送信し、
前記サーバ装置から前記自動改札機の通過を許可する情報を受け付けた場合に、前記自動改札機に前記通過を許可する情報を送信する、
処理を実行させるための交通利用プログラム。
【請求項８】
前記自動改札機に対して通過要求をアプリ識別情報と共に送信する、
請求項７に記載の交通利用プログラム。
【発明の詳細な説明】
【技術分野】
【０００１】
本発明の実施形態は、サーバ装置、自動改札機、および交通利用プログラムに関する。
【背景技術】
【０００２】
従来、鉄道等の交通機関等において利用者の入出場を管理する自動改札機が知られている。例えば、無線機能を有したＩＣカードや通信端末で自動改札機を通過する場合には、自動改札機がＩＣカードや通信端末内に記憶された金額データを用いて精算処理を行う。したがって、各自動改札機が精算処理のための機能を有する必要がある。
【先行技術文献】
【特許文献】
【０００３】
【特許文献１】特開２００３−１５０９９３号公報
【特許文献２】特開２００９−４２９４８号公報
【特許文献３】特開２００９−２３０２１６号公報
【発明の概要】
【発明が解決しようとする課題】
【０００４】
本発明が解決しようとする課題は、自動改札機による負荷を軽減することができるサーバ装置、自動改札機、および交通利用プログラムを提供することである。
【課題を解決するための手段】
【０００５】
実施形態のサーバ装置は、通信部と、通過可否要求受付部と、精算判定部と、通過可否情報送信制御部とを持つ。通信部は、自動改札機を通過しようとする利用者が所持する通信端末と通信する。通過可否要求受付部は、前記自動改札機の識別情報と前記通信端末の識別情報とが付与された前記自動改札機の通過可否要求を、前記通信部を介して前記通信端末から受け付ける。精算判定部は、前記通過可否要求受付部により受け付けられた前記通信端末の識別情報から、前記自動改札機の通過における鉄道の利用料金の精算が可能か否かを判定する。通過可否情報送信制御部は、前記精算判定部により前記鉄道の利用料金の精算が可能であると判定した場合に、前記自動改札機の通過を許可する通過許可情報を、前記自動改札機または前記通信端末に送信する。
【図面の簡単な説明】
【０００６】
【図１】実施形態における自動改札システムのシステム構成の概略図。
【図２】サーバ装置１００の機能構成例を示す図。
【図３】通過可否判定情報１７２の一例を示す図。
【図４】料金テーブル１７４の一例を示す図。
【図５】精算情報１７６の一例を示す図。
【図６】アプリケーションプログラム１７８の一例を示す図。
【図７】通信端末２００の機能構成例を示す図。
【図８】自動改札機３００の機能構成例を示す図。
【図９】本実施形態の交通利用処理の一例を示すシーケンス図。
【図１０】通信端末２００における処理の一例を示すフローチャート。
【図１１】通信端末２００の画面例を示す図。
【図１２】サーバ装置１００における処理の一例を示すフローチャート。
【発明を実施するための形態】
【０００７】
以下、実施形態のサーバ装置、自動改札機、および交通利用プログラムを、図面を参照して説明する。なお、以下の説明において、自動改札機は、駅の改札口に設けられ、鉄道等を利用するために利用者が通過するものである。
【０００８】
図１は、実施形態における自動改札システムのシステム構成の概略図である。図１に示す自動改札システム１は、サーバ装置１００と、利用者Ｐが所持する通信端末２００と、自動改札機３００とを備える。サーバ装置１００と、通信端末２００と、自動改札機３００とは、通信ネットワーク４００によりデータの送受信が可能な状態で接続されている。なお、通信端末２００は、通信ネットワーク４００を通信する際、基地局５００を介して接続してもよい。また、自動改札機３００は、中継装置６００を介して通信ネットワーク４００と接続されてよい。
【０００９】
サーバ装置１００は、自動改札機３００の識別情報と、自動改札機３００を通過しようとする利用者Ｐが所持する通信端末２００の識別情報とを含む自動改札機３００の通過可否要求を、通信端末２００から受け付ける。また、サーバ装置１００は、通信端末２００の識別情報から、自動改札機３００の通過における鉄道の利用料金の精算が可能か否かを判定する。この場合、サーバ装置１００は、例えば通信ネットワーク４００に接続されたクレジットカード等による決済を行う決済サーバ７００や、通信端末２００のキャリア事業者等が管理する通信事業者用管理サーバ８００に利用者Ｐの問い合わせを行い、利用者Ｐの信頼性（例えば、鉄道の利用料金の精算が可能か否か）に関する情報を取得して、取得した内容から利用者Ｐの鉄道の利用料金の精算が可能か否かを判定してもよい。サーバ装置１００は、鉄道の利用料金の精算が可能であると判定した場合に、自動改札機３００の通過を許可する情報を、自動改札機３００または通信端末２００に送信する。サーバ装置は、ＰＣ（Personal Computer）等でもよく、一以上の情報処理装置からなるクラウドコンピューティングにより構成されたクラウドサーバ等でもよい。
【００１０】
通信端末２００は、利用者Ｐが自動改札機３００を通過しようとする際、通信端末２００と自動改札機３００とは、近距離通信を介してデータの送受信を行う。通信端末２００は、通過しようとする自動改札機３００に対して通過要求を行う。例えば、通信端末２００は、対象の自動改札機３００の識別情報を要求する。その場合、本システムを利用可能であることを証明するために、予め設定されたアプリケーションプログラム情報を送信する。これにより、上記のアプリケーションプログラム以外のアプリケーションプログラム等からの要求を受け付けない等の処理を行うことができ、セキュリティを向上させることができる。
【００１１】
また、通信端末２００は、対象の自動改札機３００の識別情報を受信し、受信した自動改札機３００の識別情報と、自己の通信端末２００の識別情報とを付加した自動改札機の通過可否要求をサーバ装置１００に送信する。この通過可否要求を受信したサーバ装置１００は、自動改札機３００における通過可否の判定を行うとともに、自動改札機３００が配置された区間（入場および出場した区間）の鉄道の利用料金を精算する。また、通信端末２００は、上述の識別情報を送信したサーバ装置１００から自動改札機３００の通過を許可する情報を受け付けた場合に、自動改札機３００に対し、通過を許可する情報を送信する。これにより、自動改札機３００の利用者Ｐが通過する扉部（ゲート）が開かれて、利用者Ｐは自動改札機３００を通過することができる。
【００１２】
なお、図１の例に示す自動改札システム１において、自動改札機３００Ａは入場用の自動改札機を示し、自動改札機３００Ｂは、出場用の自動改札機３００Ｂを示している。また、自動改札システム１は、自動改札機３００Ａと３００Ｂとが異なる場所にあるものとし、通信端末２００から通信ネットワーク４００に接続してサーバ装置１００と通信するためのそれぞれの基地局５００Ａ，５００Ｂと、自動改札機３００Ａ、３００Ｂから通信ネットワーク４００に接続するためのそれぞれの中継装置６００Ａ、６００Ｂとが示されている。
【００１３】
自動改札機３００は、自己の自動改札機３００を通過しようとする利用者Ｐが所持する通信端末２００から、自動改札機３００の通過要求を受け付けた際、その通信端末２００が所定のアプリケーションプログラムから通過要求を行ったか否かを判定する。また、自動改札機３００は、所定のアプリケーションプログラムから通過要求があったと判定された場合に、通信端末２００に対して自己の自動改札機３００の識別情報を送信する。また、自動改札機３００は、所定のアプリケーションプログラムから前記通過要求が送信されていないと判定された場合、または、通信端末２００に自己の自動改札機３００の識別情報を送信してから所定時間を超えても、その通信端末２００或いはサーバ装置１００から通過を許可する情報が受け付けられなかった場合には、扉部を開く制御を行わず、例えば警報等を出力して利用者Ｐに通知する。上述したように、自動改札機３００は、サーバ装置１００が判定した通過を許可する情報を、通信端末２００から受信してもよく、サーバ装置１００から中継装置６００を介して受信してもよい。
【００１４】
通信ネットワーク４００は、ＬＡＮ（Local Area Network）やＷＡＮ（Wide Area Network）、インターネット等に代表されるネットワーク網であり、また通信事業者が提供する通信回線等でもよい。また、通信ネットワーク４００は、有線でも無線でもよく、これらの組み合わせでもよい。
【００１５】
基地局５００は、通信事業者等がサービスする無線基地局であり、例えば通信端末２００とサーバ装置１００との接続を可能にする。中継装置６００は、自動改札機３００や図示しない券売機等をＬＡＮ等のネットワークを介して通信を行う。また、中継装置６００は、自動改札機３００または券売機から受信した情報を、通信ネットワーク４００を介してサーバ装置１００に送信する。また、中継装置６００は、サーバ装置１００から受信した情報を自動改札機３００に送信する。
【００１６】
決済サーバ７００は、クレジット等の支払いを取り扱う事業者が管理する情報処理装置である。決済サーバ７００は、サーバ装置１００と通信ネットワーク４００を介して接続可能であり、サーバ装置１００から要求された通信端末２００の利用者Ｐの認証を行ったり、サーバ装置１００からの精算情報に基づいて、鉄道等の利用料金の請求を行う。
【００１７】
通信事業者用管理サーバ８００は、通信端末２００による通信利用料金等を管理する情報処理装置である。通信事業者用管理サーバ８００は、サーバ装置１００と通信ネットワーク４００を介して接続可能であり、サーバ装置１００から要求された通信端末２００の利用者Ｐの認証を行ったり、サーバ装置１００からの精算情報に基づいて、鉄道等の利用料金の請求を行う。
【００１８】
以下、サーバ装置１００の機能構成例について説明する。図２は、サーバ装置１００の機能構成例を示す図である。図２に示すサーバ装置１００は、サーバ側通信部１１０と、通過可否要求受付部１２０と、精算判定部１３０と、通過可否情報送信制御部１４０と、精算部１５０と、アプリ要求受付部１６０と、サーバ側記憶部１７０とを備える。通過可否要求受付部１２０、精算判定部１３０、通過可否情報送信制御部１４０、精算部１５０、およびアプリ要求受付部１６０のうち一部または全部は、例えば、ＣＰＵ（Central Processing Unit）等のプロセッサがプログラムメモリに格納されたプログラムを実行することで機能するソフトウェア機能部である。また、これらの機能部のうち一部または全部は、ＬＳＩ（Large Scale Integration）やＡＳＩＣ（Application Specific Integrated Circuit）、ＦＰＧＡ（Field-Programmable Gate Array）などのハードウェアによって実現されてもよい。
【００１９】
サーバ側通信部１１０は、自動改札機３００を通過しようとする利用者Ｐが所持する通信端末２００と、通信ネットワーク４００および基地局５００を介して通信する。また、サーバ側通信部１１０は、自動改札機３００と、通信ネットワーク４００および中継装置６００を介して通信してもよい。また、サーバ側通信部１１０は、通信ネットワーク４００を介して、決済サーバ７００や通信事業者用管理サーバ８００と通信する。サーバ側通信部１１０は、例えばＮＩＣ（Network Interface Card）等の通信インターフェースであるが、これに限定されるものではない。
【００２０】
通過可否要求受付部１２０は、自動改札機３００の識別情報と、通信端末２００の識別情報とを含む自動改札機３００の通過可否要求を、通信端末２００から受け付ける。
【００２１】
精算判定部１３０は、通過可否要求受付部１２０から得られる通信端末２００の識別情報から、自動改札機３００の通過における鉄道等の利用料金の精算が可能か否かを判定する。精算判定部１３０は、例えば、通信端末２００の識別情報に基づいてサーバ側記憶部１７０に記憶された通過可否判定情報１７２を参照し、通信端末２００の識別情報が存在する場合には、その識別情報に対応付けられた可否判定結果から通過可否を判定する。
【００２２】
また、通過可否判定情報１７２を参照しても、通信端末２００の識別情報が存在しない場合、精算判定部１３０は、予め設定された決済サーバ７００または通信事業者用管理サーバ８００へアクセスし、通信端末２００の識別情報を送信して、鉄道等の利用料金の精算が可能であるか否かの問い合わせを行い、その結果に基づいて通過可否判定を行ってもよい。その場合、精算判定部１３０は、判定結果を上述した通過可否判定情報１７２としてサーバ側記憶部１７０に記憶させてもよい。また、通過可否判定情報１７２に記憶されている情報であっても、例えば記憶した日時から所定期間が経過している場合には、最新の情報を決済サーバ７００または通信事業者用管理サーバ８００に問い合わせ、問い合わせ結果（利用者Ｐに対する鉄道の利用料金の精算が可能であるか否かを示す情報）に基づいて、通過可否判定情報１７２として記憶されている情報を、最新の情報に更新してもよい。
【００２３】
通過可否情報送信制御部１４０は、精算判定部１３０により鉄道等の利用料金の精算が可能であると判定した場合に、自動改札機３００の通過を許可する通過可否情報を、自動改札機３００または通信端末２００に送信する。
【００２４】
精算部１５０は、通過可否要求受付部１２０で受け付けた通過可否要求から得られる入場および出場において通過した自動改札機３００のそれぞれの識別情報に基づいて、通信端末２００の識別情報に対応する入場から出場までの経路（区間）を取得し、取得した経路に対応する料金を精算する。精算部１５０は、例えば、サーバ側記憶部１７０に記憶されている料金テーブル１７４を参照して料金を精算（決定）する。精算した金額は、精算情報１７６としてサーバ側記憶部１７０に記憶される。また、精算部１５０は、所定のタイミング（１回ごと、週ごと、月ごと等の一定時間）で、精算情報１７６に基づき計算された請求額（例えば、合計請求額）の情報を、通信端末２００または予め設定された通信端末２００を管理する管理装置に送信する。なお、精算部１５０は、例えば、経路等に対応して計算された料金を、例えば通信端末２００に対応付けてサーバ側記憶部１７０等に蓄積された金額（電子マネー）から差し引く処理を行ってもよい。また、精算部１５０は、上述した請求額の支払について、例えばクレジット会社（決済サーバ７００）から請求させてもよく、通信事業者（通信事業者用管理サーバ８００）から請求させてもよく、請求書を送付して請求してもよい。決済サーバ７００や通信事業者用管理サーバ８００に請求させる場合、精算部１５０は、請求額に関する情報を請求を行う装置に送信する。
支払方法については、例えば利用者Ｐや上述した管理装置の管理者等が、アプリケーションプログラム１７８等を用いて設定することができる。
【００２５】
アプリ要求受付部１６０は、通信端末２００からアプリケーションプログラム１７８のダウンロード要求を受け付ける。アプリ要求受付部１６０は、ダウンロード要求があった場合に、サーバ側記憶部１７０に記憶されたアプリケーションプログラム１７８を取得し、取得したアプリケーションプログラム１７８をサーバ側通信部１１０により、ダウンロード要求のあった通信端末２００に送信させる。このアプリケーションプログラム１７８を通信端末２００がインストールすることで、本実施形態における自動改札機３００の通過を行うことができる。なお、アプリ要求受付部１６０と、アプリケーションプログラム１７８とは、サーバ装置１００内に設けられていなくてもよく、通信ネットワーク４００を介して接続可能な他の外部装置に設けられ、その外部装置から取得してもよい。
【００２６】
サーバ側記憶部１７０は、本実施形態において利用される各種情報を記憶する。サーバ側記憶部１７０は、例えばＲＯＭ（Read Only Memory）やＲＡＭ（Random Access Memory）、ＨＤＤ（Hard Disk Drive）、フラッシュメモリ等によって実現される。
【００２７】
サーバ側記憶部１７０に記憶される情報の一例としては、例えば通過可否判定情報１７２と、料金テーブル１７４と、精算情報１７６と、アプリケーションプログラム１７８とであるが、これに限定されるものではなく、例えば処理経過やエラー情報等を示すログ情報等を記憶してもよく、他の各種装置にアクセスするためのアドレス情報（例えば、ＩＰアドレス）等を記憶してもよい。
【００２８】
図３は、通過可否判定情報１７２の一例を示す図である。図３に示す通過可否判定情報１７２の項目としては、例えば「端末識別情報」、「通過可否判定情報」等があるが、これに限定されるものではない。「端末識別情報」は、通信端末２００を識別するための情報である。「通過可否判定情報」は、端末装置の識別情報ごとに設定された通過可否の判定結果である。図３（Ａ）の例では、通過が許可される場合には「可」を示す情報が、通過が拒否される場合には、「否」を示す情報が、それぞれ設定される。
【００２９】
図４は、料金テーブル１７４の一例を示す図である。図４に示す料金テーブル１７４の項目としては、例えば「自動改札機識別情報（入場）」、「自動改札機識別情報（出場）」、「料金」等であるが、これに限定されるものではない。「自動改札機識別情報（入場）」は、利用者Ｐが入場する自動改札機３００Ａの識別情報である。また、「自動改札機識別情報（出場）」利用者Ｐが出場する自動改札機３００Ｂの識別情報である。「料金」は、２つの自動改札機３００を通過した際の料金に関する情報である。各自動改札機３００の識別情報は、例えば駅に対応付けられており、入場時と出場時における各自動改札機３００の識別情報を取得することで、駅区間または経路における料金を取得することができる。精算部１５０では、入場時と出場時の自動改札機識別情報に基づいて図３（Ｂ）に示す情報を参照して、対応する料金を取得することができる。なお、入場と出場との関係が逆の場合であっても、その項目から料金を取得することができる。
【００３０】
図５は、精算情報１７６の一例を示す図である。図５に示す精算情報１７６の項目としては、例えば「端末識別情報」、「料金」等であるが、これに限定されるものではない。「端末識別情報」とは、通信端末２００を識別する情報である。「料金」は、例えば１回の利用料金、または週ごとや月ごと等の一定時間における集計金額を示す。
【００３１】
図６は、アプリケーションプログラム１７８の一例を示す図である。図６に示すアプリケーションプログラム１７８の項目としては、例えば「アプリケーションプログラム情報」等であるがこれに限定されるものではなく、例えばアプリケーションプログラムを利用できるＯＳ（Operating System）情報や、アプリケーションプログラムの利用回数、期限等の情報が含まれてもよい。これにより、例えば通信端末２００のＯＳに対応するアプリケーションプログラムを提供することができ、またアプリケーションプログラムの利用回数や期限等を管理することで、通信端末２００による利用制限を与えることができ、セキュリティを向上させることができる。
【００３２】
以下、通信端末２００の機能構成例について図を用いて説明する。図７は、通信端末２００の機能構成例を示す図である。図７に示す通信端末２００は、端末側通信部２１０Ａおよび２１０Ｂと、アプリ取得部２２０と、自動改札機情報要求部２３０と、通過可否情報送信制御部２４０と、通過許可情報送信制御部２５０と、端末側記憶部２６０と、表示部２７０とを備える。端末側記憶部２６０は、アプリケーションプログラム２６２と、端末識別情報２６４とを有する。端末側通信部２１０Ａ、２１０Ｂ、アプリ取得部２２０、自動改札機情報要求部２３０、通過可否情報送信制御部２４０、通過許可情報送信制御部２５０、および表示部２７０のうち一部または全部は、例えば、ＣＰＵ等のプロセッサがプログラムメモリに格納されたプログラムを実行することで機能するソフトウェア機能部である。また、これらの機能部のうち一部または全部は、ＬＳＩやＡＳＩＣ、ＦＰＧＡ等のハードウェアによって実現されてもよい。
【００３３】
端末側通信部２１０Ａは、自動改札機３００と通信を行う。端末側通信部２１０Ａは、例えばＩＳＭ（Industry Science Medical）帯を利用することができるが、これに限定されるものではない。また、端末側通信部２１０Ａの通信可能範囲は、例えば数［ｃｍ］〜数十［ｃｍ］である。端末側通信部２１０Ｂは、サーバ装置１００と通信を行う。端末側通信部２１０Ｂは、サーバ装置１００と通信を行う場合には、図１に示すように基地局５００を介して通信を行う。端末側通信部２１０Ｂは、例えばＮＩＣ等の通信インターフェースであるが、これに限定されるものではない。なお、上述した端末側通信部２１０Ａと、端末側通信部２１０Ｂとを合わせたものを、通信部２１０としてもよい。
【００３４】
アプリ取得部２２０は、本実施形態における自動改札機３００との間で、交通利用（通過制御）を行うためのアプリケーションプログラムをサーバ装置１００から取得する。取得したアプリケーションプログラム２６２は、端末側記憶部２６０に記憶される。
【００３５】
通信端末２００が有するＣＰＵ等のプロセッサがアプリケーションプログラム２６２を実行することで、例えば自動改札機情報要求部２３０、通過可否情報送信制御部２４０、および通過許可情報送信制御部２５０が実現される。自動改札機情報要求部２３０は、自動改札機情報を取得するために、自動改札機３００に対して識別情報の要求を行う。この場合、自動改札機情報要求部２３０は、上述した要求とともに、アプリケーションプログラム２６２に対応する識別情報（アプリ識別情報）を、自動改札機３００に送信する。自動改札機情報要求部２３０は、自動改札機３００から自動改札機３００の識別情報が得られた場合に、自動改札機３００の識別情報と、端末側記憶部２６０に記憶された端末識別情報２６４とを、サーバ装置１００に送信し、通過可否情報の要求を行う。
【００３６】
通過許可情報送信制御部２５０は、上述した通過可否情報送信制御部２４０から得られるサーバ装置１００からの可否情報に基づいて、通過が許可された場合に、通過許可情報を自動改札機３００に送信する。これにより、通信端末２００を所持する利用者Ｐは、自動改札機３００を通過することができる。
端末側記憶部２６０は、上述したアプリケーションプログラム２６２および端末識別情報２６４を記憶するが、記憶する情報については、これに限定されるものではなく、例えばサーバ装置１００にアクセスするためのアドレス情報や、処理経過、エラー情報等のログ情報を記憶してもよい。表示部２７０は、本実施形態における各種処理を実行するための画面（例えば、通過可否要求画面）または実行結果（例えば、通過許可画面、通過拒否画面、請求画面等）を表示する。
【００３７】
以下、自動改札機３００の機能構成例について、図を用いて説明する。図８は、自動改札機３００の機能構成例を示す図である。図８の例において、自動改札機３００は、改札機側制御部３１０と、通過センサ３２０と、扉部３３０とを備える。
【００３８】
改札機側制御部３１０は、改札機側通信部３１１Ａおよび３１１Ｂと、通過要求受付部３１２と、判定部３１３と、識別情報送信制御部３１４と、通過許可部３１５と、警報部３１６と、改札機側記憶部３１７とを備える。改札機側記憶部３１７は、改札機識別情報３１７−１と、通過可否判定情報３１７−２とを有する。改札機側通信部３１１Ａ、３１１Ｂ、通過要求受付部３１２、判定部３１３、識別情報送信制御部３１４、通過許可部３１５、および警報部３１６のうち一部または全部は、例えば、ＣＰＵ等のプロセッサがプログラムメモリに格納されたプログラムを実行することで機能するソフトウェア機能部である。また、これらの機能部のうち一部または全部は、ＬＳＩやＡＳＩＣ、ＦＰＧＡ等のハードウェアによって実現されてもよい。
【００３９】
改札機側通信部３１１Ａは、通信端末２００と通信を行う。改札機側通信部３１１Ａは、例えばＩＳＭ帯を利用することができるが、これに限定されるものではない。また、改札機側通信部３１１Ａの通信可能範囲は、例えば数［ｃｍ］〜数十［ｃｍ］である。改札機側通信部３１１Ｂは、サーバ装置１００と通信を行う。改札機側通信部３１１Ｂは、サーバ装置１００と通信を行う場合には、図１に示すように基地局５００を介して通信を行う。改札機側通信部３１１Ｂは、例えばＮＩＣ等の通信インターフェースであるが、これに限定されるものではない。なお、上述した改札機側通信部３１１Ａと、改札機側通信部３１１Ｂとを合わせたものを、通信部３１１としてもよい。
【００４０】
通過要求受付部３１２は、改札機側通信部３１１を介して通信端末２００から自動改札機３００の通過要求を受け付ける。判定部３１３は、通過要求受付部３１２で受け付けられた通過要求とともに送られてきたアプリ情報と予め設定されたアプリ情報とを比較し、それぞれのアプリ情報が合致するか否かを判定する。なお、予め設定されるアプリ情報は、予めサーバ装置１００から送信され、改札機側記憶部３１７に記憶されている。アプリ情報が合致する場合、識別情報送信制御部３１４は、通信端末２００に対して、改札機側記憶部３１７に記憶された自己の自動改札機３００の識別情報（改札機識別情報３１７−１）を、改札機側通信部３１１によって送信させる。
【００４１】
通過許可部３１５は、扉部３３０の開閉により利用者Ｐの通過を制御する。通過を許可する場合、通過許可部３１５は、扉部３３０の扉を開ける制御を行う。また、通過を拒否する場合、通過許可部３１５は、扉部３３０の扉を閉じる制御を行うと共に、警報部３１６から警報を出力させる制御を行う。例えば通過許可部３１５は、識別情報送信制御部３１４により、自己の自動改札機３００の識別情報を送信した後、改札機側通信部３１１が通信端末２００又はサーバ装置１００から、許可する情報を受信した場合に、利用者Ｐの通過を許可する。警報部３１６は、判定部３１３により通過を許可できない場合に、所定の音やランプの点灯等により通過が拒否された旨の通知を行う。なお、通過許可部３１５は、サーバ装置１００から受け付けた通過可否判定情報３１７−２に記憶してもよい。
【００４２】
改札機側記憶部３１７に記憶される情報は、上述した改札機識別情報３１７−１と、通過可否判定情報３１７−２とに限定されるものではなく、例えば処理経過やエラー情報等を示すログ情報等を記憶してもよく、他の各種装置にアクセスするためのアドレス情報（例えば、ＩＰアドレス）等を記憶してもよい。
【００４３】
通過センサ３２０は、例えば自動改札機３００の通路側の側面に設けられ、自動改札機３００により形成された通路内の利用者Ｐを検出する。通過センサ３２０は、例えば赤外線センサや、光センサ等で実現される。通過センサ３２０は、対向する補機に設けられた通過センサと連携して通路内の利用者を検出するものであってもよい。また、扉部３３０は、通過許可部３１５による制御により開閉動作を行う。例えば、利用者Ｐを通過させる場合、扉部３３０は開く動作を行う。また、利用者Ｐの通過を阻止する場合、扉部３３０は閉じる動作を行う。なお、自動改札機３００の構成については、図８の例に限定されるものではなく、例えば磁気券や電子マネーのチャージ残高を記憶したＩＣカードを併せて処理可能なものであってもよい。
【００４４】
以下、実施形態の交通利用処理の一例について、シーケンス図を用いて説明する。図９は、本実施形態の交通利用処理の一例を示すシーケンス図である。なお、図９の例では、通信端末２００と、自動改札機３００と、サーバ装置１００とを用いて説明する。まず、自動改札機３００を通過しようとする利用者Ｐが通信端末２００に対して所定のアプリを起動させて自動改札機３００に対して通過要求を行うと、通信端末２００は、その要求を受け付け、対象の自動改札機３００に対して、自動改札機３００の識別情報の要求を送信する（ステップＳ１００）。この場合、通信端末２００は、起動したアプリ情報も送信する。
【００４５】
自動改札機３００は、通信端末２００から自己の自動改札機３００の識別情報の取得要求を受け付け、受け付けた取得要求を送信した通信端末２００が、所定のアプリケーションプログラムを用いて送信されてきたかを、取得要求とともに送信されたアプリ情報を用いて判定する（ステップＳ１０２）。自動改札機３００は、所定のアプリケーションプログラムを用いて要求されてきたと判定した場合に、通信端末２００に対して自己の自動改札機３００の識別情報を送信する（ステップＳ１０４）。
【００４６】
通信端末２００は、自動改札機３００から識別情報を受信すると、受信した自動改札機３００の識別情報と、自己の通信端末２００の識別情報とが付与して自動改札機３００の通過可否要求を生成し（ステップＳ１０６）、生成した通過可否要求を、サーバ装置１００に送信する（ステップＳ１０８）。サーバ装置１００は、通信端末２００から送信された情報を取得し、通信端末２００の識別情報から自動改札機３００の通過における鉄道の利用料金の精算が可能か否かを判定する（ステップＳ１１０）。サーバ装置１００は、記鉄道の利用料金の精算が可能であると判定した場合には、自動改札機３００の通過を許可する通過許可情報を、通信端末２００に送信する（ステップＳ１１２）。
【００４７】
通信端末２００は、サーバ装置１００から受け付けた自動改札機３００の通過許可情報を自動改札機３００に送信する（ステップＳ１１４）。自動改札機３００は、通信端末２００から得られる通過許可情報に基づいて扉部３３０を開いて利用者Ｐを通過させる（ステップＳ１１６）。なお、サーバ装置１００は、通過を許可したことに伴い請求が必要な場合に、通信端末２００の識別情報ごとに、自動改札機３００の識別情報に基づく鉄道の乗車区間（経路）における料金の請求を行い、通信端末２００または所定の外部装置（通信端末２００を管理する管理装置等）に送信する（Ｓ１１８）。
【００４８】
なお、上述したステップＳ１１２の処理において、サーバ装置１００は、ステップＳ１１２の送信先を、通信端末２００ではなく、自動改札機３００にしてもよい。この場合に、自動改札機３００は、サーバ装置１００から受け付けた通過許可情報に基づいて、扉部３３０を開いて利用者Ｐを通過させる。また、上述したステップＳ１０２の処理において、通信端末２００が所定のアプリケーションプログラム以外のアプリケーションプログラムから識別情報の取得要求があった場合には、ステップＳ１０４の処理として通過拒否する旨の情報を送信してもよい。また、ステップＳ１１０の処理において、サーバ装置１００は、通信端末２００の識別情報から、自動改札機３００を通過許可できないと判定された場合には、Ｓ１１２の処理として、通過拒否する旨の情報を送信してもよい。
【００４９】
以下、通信端末２００における処理について、フローチャートを用いて説明する。図１０は、通信端末２００における処理の一例を示すフローチャートである。なお、図１０の例では、本実施形態における自動改札機３００を通過するための各処理を行うアプリケーションプログラムが通信端末２００にインストールされているものとする。また、インストールされていない場合には、通信端末２００は、事前にサーバ装置１００等から所定のアプリケーションプログラムをダウンロードする処理を行う。
【００５０】
図１０の例において、通信端末２００は、利用者Ｐにより所定のアプリケーションプログラムが起動され、起動したアプリケーションプログラムから自動改札機３００を通過するための通過要求の指示を受け付けたか否かを判定する（ステップＳ２００）。通過要求の指示を受け付けた場合、自動改札機情報要求部２３０は、自動改札機３００に対して通過要求として、自動改札機３００の識別情報の取得要求を送信する（ステップＳ２０２）。次に、自動改札機情報要求部２３０は、自動改札機３００から自動改札機３００の識別情報を取得できたか否かを判定する。自動改札機３００の識別情報を取得できた場合、通過可否情報送信制御部２４０は、自動改札機３００の識別情報と、通信端末の識別情報とを付加した自動改札機の通過可否要求をサーバ装置１００に送信する（ステップＳ２０６）。次に、端末側通信部２１０は、サーバ装置１００から通過可否結果を受信し（ステップＳ２０８）、受信した結果から通過許可情報を受信したか否かを判定する（ステップＳ２１０）。通過許可情報を受信した場合、通過許可情報送信制御部２５０は、通過許可情報を自動改札機３００に送信する（ステップＳ２１２）。また、表示部２７０は、通過が許可された旨を画面に表示する（ステップＳ２１４）。これにより、利用者は、自動改札機３００を通過することができる。
【００５１】
また、ステップＳ２０４において、自動改札機の識別情報を取得できなかった場合、表示部２７０は、通過拒否された旨を画面に表示する（ステップＳ２１６）。また、ステップＳ２０４において、通過許可情報を受信できなかった場合、表示部２７０は、通過拒否された旨を画面に表示する（ステップＳ２１８）。なお、通信端末２００は、所定のタイミング（１回ごと、週ごと、月ごと等の一定時間）で、経路に対応する料金の請求結果を受信した場合、その受信した請求情報を画面に表示してもよい。
【００５２】
図１１は、通信端末２００の画面例を示す図である。図１１（Ａ）は、通信端末２００の表示部２７０に表示される所定のアプリケーションプログラムの起動後の画面９００の一例を示している。図１１（Ａ）に示す画面９００には、自動改札機３００における通過可否要求を行うか否かを選択するボタン９００Ａ、９００Ｂが表示され、利用者ＰがＹＥＳボタン９００Ａを選択することで、自動改札機３００に対して、識別情報の取得要求を行う。また、図１１（Ｂ）は、サーバ装置１００から通過許可情報を受信した際に表示される画面９１０の一例である。この表示により、利用者Ｐは、通過が許可された旨を容易に取得することができる。またＯＫボタン９１０Ａを選択することで、図１１（Ｂ）の画面９１０を閉じることができる。
【００５３】
また、図１１（Ｃ）は、サーバ装置１００から通過拒否を受信した画面９２０の一例である。この画面９２０は、自動改札機３００に対する識別情報取得要求において、識別情報を取得できなかった場合にも表示される。また、この表示により、利用者Ｐは、通過が拒否された旨を容易に取得することができる。またＯＫボタン９２０Ａを選択することで、図１１（Ｃ）の画面９２０を閉じることができる。
【００５４】
また、図１１（Ｄ）は、請求画面９３０の一例である。この請求画面９３０は、例えばサーバ装置１００で蓄積された精算情報１７６の内容が表示される。図１１（Ｄ）の例では、月ごとに自動改札機３００を通過した際の請求金額が表示されているが、これに限定されるものではなく、請求が発生するごと、週ごとに表示されてもよい。また、ＯＫボタン９３０Ａを選択することで、図１１（Ｄ）の請求画面９３０を閉じることができる。
【００５５】
以下、サーバ装置１００における処理について、フローチャートを用いて説明する。図１２は、サーバ装置１００における処理の一例を示すフローチャートである。図１２の例において、通過可否要求受付部１２０は、通信端末２００からの通過可否要求を受け付けたか否かを判定する（ステップＳ３００）。通信可否要求を受け付けた場合、精算判定部１３０は、サーバ側記憶部１７０に記憶された通過可否判定情報１７２を参照し、通過可否判定情報１７２に対象の通信端末の情報が存在するか否かを判定する（ステップＳ３０２）。通過可否判定情報１７２に対象の通信端末２００の情報（例えば、識別情報）が存在する場合、精算判定部１３０は、通過可否判定情報１７２に基づいて通過可否を判定する（ステップＳ３０４）。
【００５６】
また、通過可否判定情報１７２に対象の通信端末２００の情報（例えば、識別情報）が存在しない場合、精算判定部１３０は、上述した決済サーバ７００または通信事業者用管理サーバ８００等の外部装置に通信端末２００の識別情報を送信して、通信端末２００の信頼性（例えば、鉄道の利用料金の精算が可能か否か）の問い合わせを行い（ステップＳ３０６）。問い合わせ結果に基づいて通過可否を判定する（ステップＳ３０８）。精算判定部１３０は、例えば鉄道の利用料金の精算が可能である場合には、通過許可と判定し、鉄道の利用料金の精算が可能でない場合は、通過拒否と判定する。なお、ステップＳ３０８の処理では、判定結果を、通過可否判定情報１７２に記憶してもよい。
【００５７】
次に、通過可否情報送信制御部１４０は、上述した内容で得られた通過可否結果を通信端末２００に送信する（ステップＳ３１０）。ここで、精算部１５０は、通過許可判定であり、精算が必要か否かを判定し（ステップＳ３１２）。判定が必要な場合、精算部１５０は、通信端末２００からの通過可否要求で取得した自動改札機３００識別情報から入場および出場の経路（区間）における金額を料金テーブル１７４から取得して、料金の精算を行う（ステップＳ３１４）。
【００５８】
また、精算部１５０は、精算結果を精算情報１７６として記憶すると共に、所定のタイミングで精算結果を通信端末２００または通信端末２００を管理する管理装置等に送信する（ステップＳ３１６）。この管理装置は、上述した例えば決済サーバ７００または通信事業者用管理サーバ８００等でもよいが、これに限定されるものではない。例えば、精算結果を、通信端末２００を社員（利用者Ｐ）に貸与している企業に送信することで、各企業の出張費の請求や簡略化することができ、社員の行動内容を把握することもできる。なお、サーバ装置１００は、例えば通信端末２００からのアプリケーションプログラム取得要求を受信した場合に、通信端末２００に対応するアプリケーションプログラムをサーバ側記憶部１７０に記憶されたアプリケーションプログラム１７８から抽出し、抽出したアプリケーションプログラムを要求のあった通信端末２００に送信してもよい。
【００５９】
以上説明した少なくともひとつの実施形態によれば、自動改札機を通過しようとする利用者が所持する通信端末と通信する通信部と、前記自動改札機の識別情報と前記通信端末の識別情報とが付与された前記自動改札機の通過可否要求を、前記通信部を介して前記通信端末から受け付ける通過可否要求受付部と、前記通過可否要求受付部により受け付けられた前記通信端末の識別情報から、前記自動改札機の通過における鉄道の利用料金の精算が可能か否かを判定する精算判定部と、前記精算判定部により前記鉄道の利用料金の精算が可能であると判定した場合に、前記自動改札機の通過を許可する通過許可情報を、前記自動改札機または前記通信端末に送信する通過可否情報送信制御部と、を備えることにより、自動改札機による負荷を軽減することができる。
【００６０】
上記説明した実施形態は、以下のように表現することができる。
ネットワークインターフェースを有し、自動改札機を通過しようとする前記利用者が所持する通信端末と通信する通信部と、
前記自動改札機の識別情報と前記通信端末の識別情報とが付与された前記自動改札機の通過可否要求を、前記通信部を介して前記通信端末から受け付ける通過可否要求受付部と、
通信端末ごとに予め設定された通過可否判定情報を記憶する記憶部と、
前記通過可否要求受付部により受け付けられた前記通信端末の識別情報と、前記記憶部に記憶された前記通信端末の識別情報に対する通過可否判定情報とを比較して、前記自動改札機の通過における鉄道の利用料金の精算が可能か否かを判定する精算判定部と、
前記精算判定部により前記鉄道の利用料金の精算が可能であると判定した場合に、前記自動改札機の通過を許可する通過許可情報を、前記自動改札機または前記通信端末に送信する通過可否情報送信制御部と、
を備えるサーバ装置。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１…自動改札システム、１００…サーバ装置、１１０…サーバ側通信部、１２０…通過可否要求受付部、１３０…精算判定部、１４０…通過可否情報送信制御部、１５０…精算部、１６０…アプリ要求受付部、１７０…サーバ側記憶部、２００…通信端末、２１０…端末側通信部、２２０…アプリ取得部、２３０…自動改札機情報要求部、２４０…通過可否情報送信制御部、２５０…通過許可情報送信制御部、２６０…端末側記憶部、２７０…表示部、３００…自動改札機、３１０…改札機側制御部、３２０…通過センサ、３３０…扉部、４００…通信ネットワーク
【図１】
2017157107.tif 000003
【図２】
2017157107.tif 000004
【図３】
2017157107.tif 000005
【図４】
2017157107.tif 000006
【図５】
2017157107.tif 000007
【図６】
2017157107.tif 000008
【図７】
2017157107.tif 000009
【図８】
2017157107.tif 000010
【図９】
2017157107.tif 000011
【図１０】
2017157107.tif 000012
【図１１】
2017157107.tif 000013
【図１２】
2017157107.tif 000014